(57)【要約】【課題】食器洗い機を設置する際の設置工事の不備が原因となる場合を含めて給水ホースからの漏水に対する対策を講じた上で設置施工性の良い食器洗い機を提供する。【解決手段】食器等の被洗浄物９を収容して洗浄する洗浄槽２と、洗浄槽２を内設した食器洗い機本体１と、洗浄槽２への給水を制御する給水弁４と、食器洗い機本体１内に配置された漏水を検知する漏水センサ１５と、給水弁４と給水配管１８とを接続する給水ホース３と、給水ホース３と接続される口金と、給水配管１８に接続された止水栓１７に螺合して前記口金を接続する配管接続部材１６と、給水ホース３を包含するカバーホース１４を有し、カバーホース１４の一端は前記口金に水密に嵌合され、他端は食器洗い機本体１内に開口された構成としたことにより、給水ホースの損傷などを原因とする漏水があっても、漏水はカバーホース１４内に止められる。【選択図】図１
2014117292.tif 000002
【特許請求の範囲】
【請求項１】
食器等の被洗浄物を収容して洗浄する洗浄槽と、前記洗浄槽を内設した食器洗い機本体と、前記洗浄槽への給水を制御する給水弁と、前記食器洗い機本体内に配置された漏水を検知する漏水検知手段と、前記給水弁と給水配管とを接続する給水ホースと、前記給水ホースと接続される口金と、前記給水配管に接続された止水栓に螺合して前記口金を接続する配管接続部材と、前記給水ホースを包含するカバーホースを有し、前記カバーホースの一端は前記口金に水密に嵌合され、他端は前記食器洗い機本体内に開口された構成とした食器洗い機。
【請求項２】
前記給水弁は、前記食器洗い機本体内に配設した請求項１記載の食器洗い機。
【請求項３】
前記カバーホースの一端にはカバーホース接続部材が形成され、前記カバーホース接続部材と前記口金との水密性は、前記口金に設けたＯリングで構成される請求項１または２記載の食器洗い機。
【請求項４】
前記カバーホースの一端にはカバーホース接続部材が形成され、前記カバーホース接続部材は、接続部材硬質部と、前記接続部材硬質部を覆う接続部材軟質部とで一体に構成され、前記カバーホース接続部材と前記口金との水密性は、前記接続部材軟質部と前記口金とが密着することにより構成される請求項１または２記載の食器洗い機。
【発明の詳細な説明】
【技術分野】
【０００１】
本発明は、給水弁や給水ホースによって水道水を洗浄槽内に供給して、洗浄槽内に収容された食器類を洗浄する食器洗い機に関するものである。
【背景技術】
【０００２】
従来この種の食器洗い機は、食器洗い機本体から引き出されて給水配管に接続される給水ホースの給水配管近傍に給水弁を配設するとともに、食器洗い機本体内から前記給水配管までに存在する食器洗い機および設置に必要な構成要素を、水密構造で一端が食器洗い機本体内に開放された導水管状体内に収容している（例えば、特許文献１参照）。
【０００３】
上記特許文献１に開示された食器洗い機の構成について、図５を用いて説明する。食器洗い機は、食器洗い機本体１から引き出されて給水配管１８に接続される給水ホース２６の給水配管１８近傍に給水弁４を配設するとともに、食器洗い機本体１内から前記給水配管１８までに存在する食器洗い機およびその設置に必要な構成要素を、水密構造で一端が食器洗い機本体１内に開放された導水管状体２５に収容している。
【０００４】
上記構成により、食器洗い機本体１から引き出された給水ホース２６の給水配管１８近傍に給水弁４を配設しているので、給水時以外でも給水弁４より下流側に水流や水圧が加わらず、仮に漏水箇所があっても漏水は最小限に抑えられる。更に、給水ホース２６を含めて食器洗い機本体１内から給水配管１８までの間に存在する構成要素を導水管状体２５内に収容しているので、漏水が発生した場合でも、漏水した水は導水管状体２５内に溜められるか、導水管状体２５の食器洗い機本体１内に開放された端部から食器洗い機本体１内に流入する。
【先行技術文献】
【特許文献】
【０００５】
【特許文献１】特開２００７−２０２８７５号公報
【発明の概要】
【発明が解決しようとする課題】
【０００６】
しかしながら、上記特許文献１に開示された従来の食器洗い機は、給水ホース２６を含めて食器洗い機本体１内から給水配管１８までの間に存在する構成要素をすべて導水管状体２５内に収容しているので、漏水が発生した場合でも、漏水した水は導水管状体２５内に溜められるか、導水管状体２５の食器洗い機本体１内に開放された端部から食器洗い機本体１内に流入するようになっているが、給水弁４と給水ホース２６のような異形のものを同時に水密構造に包含することは、包含部材としての導水管状体２５の確実なシール性とあわせて外観の見栄えまでを配慮すると、形状やシール構造が複雑になるとともに、その製造コストがかかる。また、給水配管１８近傍に給水弁４があることにより給水配管１８の位置によっては施工が困難な場合があるという課題を有する。
【０００７】
本発明は、上記従来の課題を解決するもので、導水管状体の確実なシール性とあわせて施工に優れた食器洗い機を提供することを目的とする。
【課題を解決するための手段】
【０００８】
上記目的を達成するために本発明に係る食器洗い機は、食器等の被洗浄物を収容して洗浄する洗浄槽と、前記洗浄槽を内設した食器洗い機本体と、前記洗浄槽への給水を制御する給水弁と、前記食器洗い機本体内に配置された漏水を検知する漏水検知手段と、前記給
水弁と給水配管とを接続する給水ホースと、前記給水ホースと接続される口金と、前記給水配管に接続された止水栓に螺合して前記口金を接続する配管接続部材と、前記給水ホースを包含するカバーホースを有し、前記カバーホースの一端は前記口金に水密に嵌合され、他端は前記食器洗い機本体内に開口された構成としたことを特徴とする。
【０００９】
上記構成によれば、食器洗い機本体内に給水弁を配し、給水弁に接続された給水ホースの給水配管近傍に給水ホースおよび給水ホースを覆うカバーホースを接続するホース接続部材（口金）を配しているため、給水ホース及び給水ホースと口金を接続するカシメ部分はカバーホースに収容されているため、給水管路において漏水が発生した場合でも、漏水した水はカバーホースの中に溜められて外部に漏れ出すことがなく、漏水量が規定量を超えるとカバーホースに導かれて食器洗い機本体内に流れ落ちて、漏水検知手段によって検知することができる。
【発明の効果】
【００１０】
食器洗い機は所定場所に設置するときに、給水及び排水の管路接続などを行う設置工事が不可欠であり、本発明の食器洗い機は、その設置工事において管路の損傷が生じたことに伴う漏水が生じた場合でも、漏水が外部に漏れ出すことを防止できる。また、漏水の発生を速やかに検知することができるので、漏水に伴う被害が大きくなる前に対策を講じることができる。また、給水配管との接続部が小型化でき施工性の向上も図ることができる。
【図面の簡単な説明】
【００１１】
【図１】本発明の実施の形態１に係る食器洗い機の構成を示す側断面図
【図２】本発明の実施の形態１に係る食器洗い機の給水ホースの接続主要部の正面図
【図３】本発明の実施の形態１に係る食器洗い機の給水ホースの接続主要部の断面図
【図４】本発明の実施の形態２に係る食器洗い機の給水ホースの接続主要部の断面図
【図５】従来技術に係る食器洗い機の構成を示す側断面図
【発明を実施するための形態】
【００１２】
第１の発明は、食器等の被洗浄物を収容して洗浄する洗浄槽と、前記洗浄槽を内設した食器洗い機本体と、前記洗浄槽への給水を制御する給水弁と、前記食器洗い機本体内に配置された漏水を検知する漏水検知手段と、前記給水弁と給水配管とを接続する給水ホースと、前記給水ホースと接続される口金と、前記給水配管に接続された止水栓に螺合して前記口金を接続する配管接続部材と、前記給水ホースを包含するカバーホースを有し、前記カバーホースの一端は前記口金に水密に嵌合され、他端は前記食器洗い機本体内に開口された構成とした食器洗い機である。
【００１３】
これにより、給水管路において漏水が発生した場合でも、漏水した水はカバーホースの中に溜められて外部に漏れ出すことを防止できる。また、漏水の発生を速やかに検知することができるので、漏水に伴う被害が大きくなる前に対策を講じることができる。また、給水配管との接続部が小型化でき施工性の向上も図ることができる。
【００１４】
第２の発明は、上記第１の発明において、前記給水弁は、前記食器洗い機本体内に配設したことにより、給水弁が給水配管の近傍にないため、給水配管との接続部が小型化でき、施工の自由度および作業性を向上させることができる。また、給水弁周辺からの漏水発生に対しても、漏水がカバーホースの筺体からの引き出し部位に達するまでもなく、即座に漏水検知手段により漏水を検知することができる。
【００１５】
第３の発明は、上記第１または第２の発明において、前記カバーホースの一端にはカバーホース接続部材が形成され、前記カバーホース接続部材と前記口金との水密性は、前記
口金に設けたＯリングで構成されることにより、カバーホースの接続部から外部に漏水することを簡易な構成にて防止することができる。
【００１６】
第４の発明は、上記第１または第２の発明において、前記カバーホースの一端にはカバーホース接続部材が形成され、前記カバーホース接続部材は、接続部材硬質部と、前記接続部材硬質部を覆う接続部材軟質部とで一体に構成され、前記カバーホース接続部材と前記口金との水密性は、前記接続部材軟質部と前記口金とが密着することにより構成されることにより、カバーホースの接続部から外部に漏水することを、構成部品が少なく簡易な構成にて防止することができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の実施の形態１に係る食器洗い機の構成を示すもので、キッチンカウンタ下などに設置するビルトインタイプの食器洗い機として構成されたものである。尚、図中に示す符号は、従来技術の構成と共通する構成要素には同一の符号を付している。
【００１９】
図１において、食器洗い機本体１は、筺体５内に洗浄槽２が配設され、その前面は扉１１によって開閉自在に構成されている。扉１１を開くと、洗浄槽２内に配設された食器カゴ１０を前方に引き出すことができ、食器カゴ１０に食器等の被洗浄物９を載せ、食器カゴ１０を洗浄槽２内に押し入れて扉１１を閉じると被洗浄物９を洗浄できる状態とすることができる。
【００２０】
前記食器洗い機本体１内に設けられ洗浄槽２内に連通する給水弁４に一端が接続された給水ホース３と、一端を排水ポンプ１２に接続した排水ホース１３は、筺体５の背面から外部に引き出され、給水ホース３は他端で水道管路等の給水配管１８に接続され、排水ホース１３は他端で排水配管１９に接続される。
【００２１】
給水ホース３と給水配管１８との接続は、図１及び図３に図示するように、給水ホース３の先端にカシメ部２７で水密に固着された口金２２の先端に接続した配管接続部材１６を用いて給水配管１８に設けられた止水栓１７に接続することによりなされる。前記給水弁４は、図示しない電気配線によって食器洗い機本体１に電気的接続がなされ、食器洗い機本体１に設けられた制御手段により開閉操作がなされる。
【００２２】
食器洗い機の設置は工事業者によって施工され、筺体５の背面から引き出されている給水ホース３及び排水ホース１３の管路接続及び電源コードや接地線の電気的接続を設置場所の壁面や床面に配した配管路やコンセントに接続した後、キッチンカウンタ下などの所定の設置場所に食器洗い機本体１を固定することにより設置完了する。
【００２３】
設置された食器洗い機の前面に設けられた操作パネルから運転開始操作をすると、給水弁４が開かれて給水配管１８から供給される水又は湯が止水栓１７、給水ホース３、給水弁４を通じて洗浄槽２内に給水される。給水された水や湯が洗浄槽２の底部に所定量に貯留されると給水弁４は閉じられ、貯留された水や湯はヒータ８によって適温に加熱されると共に洗剤が混入されて洗浄水として被洗浄物９に噴射される。
【００２４】
洗浄水は図示しない洗浄ポンプによって洗浄ノズル７に供給され、回転する洗浄ノズル７から噴射される洗浄水は食器カゴ１０に載せられた被洗浄物９に満遍なく噴射されて汚れが洗い流されて洗浄槽２の底部に戻るので、洗浄水の循環が繰り返されることによって
被洗浄物９は洗浄される。洗浄によって生じた汚濁水は排水ポンプ１２が起動されることによって排水ホース１３から排水配管１９に排出される。その後に給水弁４を開いて給水ホース３から洗浄槽２内に導入した水を用いてすすぎ洗いがなされることにより被洗浄物９の洗浄が完了する。
【００２５】
図２は、給水ホース３と給水配管１８との接続主要部の外観を示す正面図であり、図３は、同接続主要部の断面図である。図示しない給水ホース３を覆うカバーホース１４は中空円筒状に形成されたカバーホース接続部材２４の外周上に圧入され、ホースバンド２０で位置固定されている。給水配管１８の端部には止水栓１７が設けられているので、配管接続部材１６を止水栓１７のネジ口に螺合させていくと、配管接続部材１６によって口金２２が止水栓１７側に押し付けられるので、シール部材２３は圧縮されて止水栓１７と口金２２とは水密構造に連結される。この接続構造により、給水配管１８から給水ホース３、給水弁４を通じた洗浄槽２への給水管路が形成される。
【００２６】
この給水ホース３の端部に接続した配管接続部材１６を給水配管１８に接続する作業は、食器洗い機の設置工事において実施されるが、工事は工事業者に委ねられる。この工事中に配管接続部材１６の締め付け不足などの不備があって管路接続が不充分であったり、給水ホース３に損傷を与えたりすることに起因する漏水の発生は皆無ではない。このような不具合があっても漏水した水を外部に漏出させないように、本構成においては、給水ホース３を包含するカバーホース１４が設けられている。カバーホース１４は、後述するように、給水ホース３の筺体５からの出口部分からカバーホース接続部材２４までを水密構造に収容するもので、一端が筺体５の背面に固定され食器洗い機本体１内に開口されている。
【００２７】
食器洗い機の設置工事を容易にするために、給水ホース３及びカバーホース１４は可撓性を有することが要求される。従って、給水ホース３とカバーホース１４とで可撓性材料により二重構造のホース体として構成するのが好適である。カバーホース１４の給水配管１８側の端部はカバーホース接続部材２４に密着させ、水密構造に形成される。この構成により、給水ホース３の損傷などに起因して漏水が生じても、漏水した水はカバーホース１４内に止められ、外部に漏出することが防止される。
【００２８】
また、図３に示すように、本発明の実施の形態１では、口金２２の外周面とカバーホース接続部材２４の内周面は、口金２２に取り付けたＯリング２１により水密構造に形成される。これにより、カバーホース１４の接続部から外部に漏水することを防止することができる。
【００２９】
以上のように、本発明の食器洗い機は、給水ホース３を包含するカバーホース１４及び口金２２を水密構造に構成することにより、給水ホース３に漏水が生じた場合、漏水した水はカバーホース１４中に溜められる。漏水量がカバーホース１４の筺体５からの引き出し部位までにも達する量になると、漏水した水は筺体５内に流下する。筺体５の内底部に漏水センサ（漏水検知手段）１５を設けておくと、漏水センサ１５により漏水が検知されるので、使用者は漏水検知に基づいて点検修理等の対応を実施することができる。
【００３０】
また、給水弁４が給水配管１８の近傍にないため、接続スペースの制約を受けることがなく、設置施工性の向上も図ることができる。
【００３１】
さらに、給水弁４を食器洗い機本体１内に配設するため、給水弁４周辺から漏水が発生した場合には、漏水がカバーホース１４の筺体５からの引き出し部位に達するまでもなく、即座に漏水センサ１５により漏水を検知できるので、使用者は漏水検知に基づく点検修理等の対応をすぐに実施することができる。
【００３２】
（実施の形態２）
図４は、本発明の実施の形態２に係る食器洗い機の給水ホース３と給水配管１８との接続主要部の断面図である。本実施の形態においては、カバーホース１４の給水配管１８側の端部に設けたカバーホース接続部材２４を、中空円筒状に形成された接続部材硬質部２４ａと接続部材硬質部２４ａの内外周を覆う接続部材軟質部２４ｂで構成し、口金２２及びカバーホース１４に圧入して、水密構造を形成している。その他の構成は上記実施の形態１と同様であり、同じ構成のものは同一符号を付して説明を省略する。
【００３３】
上記の構成により、口金２２にＯリングを取り付けることなく、口金２２の外周面とカバーホース接続部材２４の内周面との間の水密構造を形成することができ、給水ホース３の損傷などに起因して漏水が生じても、漏水した水はカバーホース１４内に留められ、外部に漏出することを防止することができる。
【００３４】
以上のように、本発明の食器洗い機は、給水ホース３を包含するカバーホース１４及び口金２２を水密構造に構成することにより、給水ホース３に漏水が生じた場合、漏水した水はカバーホース１４中に溜められる。漏水量がカバーホース１４の筺体５からの引き出し部位までにも達する量になると、漏水した水は筺体５内に流下する。筺体５の内底部に漏水センサ（漏水検知手段）１５を設けておくと、漏水センサ１５により漏水が検知されるので、使用者は漏水検知に基づいて点検修理等の対応を実施することができる。
【００３５】
なお、以上に説明した各実施の形態では、食器洗い機本体１に対する給水管路の漏水対策について説明したが、排水管路についても漏水が発生することは皆無とはいえず、同様の漏水対策構造を設けることができる。排水管路の場合は、筺体５から引き出された排水ホース１３を排水配管１９に接続するだけで、カバーホース１４に排水ホース１３を嵌挿させた二重ホースに構成することにより、容易に実施することができる。
【００３６】
また、カバーホース１４は、給水ホース３及び排水ホース１３の両方を収容するように構成することもでき、いずれの通水管路からの漏水に対しても対応することが可能となる。
【産業上の利用可能性】
【００３７】
以上の説明の通り本発明は、機器本体から引き出された給水ホースより漏水した場合に、漏水をカバーホース内に収容して水が外部に漏れ出すことを防止するとともに、給水弁が給水配管近傍にないため、接続スペースの制約を受けることがなく、設置施工性の向上も図れるので、食器洗い機のみならず、同様の給水管路、排水管路の接続構成を有する洗濯機等にも適用可能である。
【符号の説明】
【００３８】
１  食器洗い機本体
２  洗浄槽
３  給水ホース
４  給水弁
５  筺体
７  洗浄ノズル
８  ヒータ
９  被洗浄物
１０  食器カゴ
１１  扉
１２  排水ポンプ
１３  排水ホース
１４  カバーホース
１５  漏水センサ（漏水検知手段）
１６  配管接続部材
１７  止水栓
１８  給水配管
１９  排水配管
２０  ホースバンド
２１  Ｏリング
２２  口金
２３  シール部材
２４  カバーホース接続部材
２４ａ  接続部材硬質部
２４ｂ  接続部材軟質部
２７  カシメ部
【図１】
2014117292.tif 000003
【図５】
2014117292.tif 000004
【図２】
2014117292.tif 000005
【図３】
2014117292.tif 000006
【図４】
2014117292.tif 000007